(57)【特許請求の範囲】
【請求項１】
給電点からアンテナ素子に給電すると共に上記給電点から接地導体としてのシールドケースへ高周波電流が流れることによって上記アンテナ素子及び上記シールドケースがアンテナとして動作するアンテナ装置において、
所定形状でなる第１の導電性平板の一端を上記接地導体と電気的に短絡すると共に、上記第１の導電性平板の一端よりも上記給電点に近い上記第１の導電性平板の他端を上記設置導体から電気的に開放することにより、第１の無線通信周波数に対して上記第１の導電性平板における開放端の入力インピーダンスを無限大に近づけるようにした第１平板部と、
所定形状でなる第２の導電性平板の一端を、上記第１の導電性平板の一端よりも上記給電点に近い場所で上記接地導体と電気的に短絡すると共に、上記第２の導電性平板の一端よりも上記給電点に近く、上記第１の導電性平板の他端と同じ位置で上記第２の導電性平板の他端を上記設置導体から電気的に開放することにより、第２の無線通信周波数に対して上記第２の導電性平板における開放端の入力インピーダンスを無限大に近づけるようにした第２平板部と
を具え、
上記第１平板部及び上記第２平板部は、上記アンテナ装置の使用時にユーザの耳の近傍付近で、かつ人体側となるように配置されている
アンテナ装置。
【請求項２】
上記第１平板と、上記第２平板とは、その中央で一体となった一枚板で形成されている
請求項１に記載のアンテナ装置。
【請求項３】
上記第１平板は、上記第１の導電性平板と上記接地導体との間に所定の比誘電率を持つ誘電体が挿入されている
請求項１に記載のアンテナ装置。
【請求項４】
給電点からアンテナ素子に給電すると共に上記給電点から接地導体としてのシールドケースへ高周波電流が流れることによって上記アンテナ素子及び上記シールドケースがアンテナとして動作するアンテナ装置を搭載した携帯無線機において、
上記アンテナ装置は、
所定形状でなる第１の導電性平板の一端を上記接地導体と電気的に短絡すると共に、上記第１の導電性平板の一端よりも上記給電点に近い上記第１の導電性平板の他端を上記設置導体から電気的に開放することにより、第１の無線通信周波数に対して上記第１の導電性平板における開放端の入力インピーダンスを無限大に近づけるようにした第１平板部と、
所定形状でなる第２の導電性平板の一端を、上記第１の導電性平板の一端よりも上記給電点に近い場所で上記接地導体と電気的に短絡すると共に、上記第２の導電性平板の一端よりも上記給電点に近く、上記第１の導電性平板の他端と同じ位置で上記第２の導電性平板の他端を上記設置導体から電気的に開放することにより、第２の無線通信周波数に対して上記第２の導電性平板における開放端の入力インピーダンスを無限大に近づけるようにした第２平板部と
を具え、
上記第１平板部及び上記第２平板部は、上記アンテナ装置の使用時にユーザの耳の近傍付近で、かつ人体側となるように配置されている
携帯無線機。
【発明の詳細な説明】
【０００１】
【発明の属する技術分野】
本発明はアンテナ装置及び携帯無線機に関し、例えば無線通信周波数が異なる少なくとも２種類の無線通信システムに対応するようになされた携帯無線機に適用して好適なものである。
【０００２】
【従来の技術】
近年、携帯無線機においては、急速的な普及に伴って１つの無線通信システムにおける回線数だけでは不足する傾向にある。このため、異なる周波数帯域を使用している他の無線通信システムと併用し、必要な回線数を確保することが考えられており、小型軽量化技術の著しい進歩により１つの携帯無線機で２種類の無線通信システムを利用することが可能な端末が開発されている。
【０００３】
一方、携帯無線機においては当該携帯無線機が発する電磁波のうち、通話時において人体の特定部位（主に頭部）に吸収される単位時間及び単位質量当たりの量を局所平均ＳＡＲ(Specific Absorption Rate)として定義し、この局所平均ＳＡＲの最大値を規定値以下に抑制することが求められている。
【０００４】
図４に示すように、１は全体として局所平均ＳＡＲの最大値を規定値以下に抑制することを目的として開発された携帯無線機を示し、非導電性材料で形成された筐体（図示せず）の内部に、無線通信を行うに必要な回路基板（図示せず）が収納されており、当該回路基板がグランド部材としてのシールドケース２によって被覆されている。
【０００５】
この携帯無線機１は、内部に収納した回路基板をシールドケース２によって被覆したことにより、回路基板上に実装された送受信回路やその他の種々の回路が互いに悪影響を及ぼしあったり、アンテナ４や他の機器に対して悪影響を与えることを防止している。
【０００６】
また内部の回路基板は、基地局と通信するための送受信回路によって所定の信号形式の送信信号を生成し、これをアンテナ給電部３を介してアンテナ４から基地局へ送信し、またアンテナ４で受信した受信信号をアンテナ給電部３を介して取り込んだ後に復調するようになされている。
【０００７】
ここでアンテナ４は、例えば導電性の線材でなる棒状のロッドアンテナでなり、これ以外にも導電性の線材を螺旋状に巻いて形成されたヘリカルアンテナ、さらにこれらを複合した伸縮式のもの等の様々なタイプが用いられるようになされている。
【０００８】
このアンテナ４においては、当該アンテナ４のみがアンテナとして動作するのではなく、回路基板のグランド導体またはシールドケース２にもアンテナ給電部３から高周波電流が流れ込み、その結果として携帯無線機１全体がアンテナとして動作することになる。
【０００９】
このような携帯無線機１においては、図５に示すように通話時の局所平均ＳＡＲが測定されるようになされており、このとき局所平均ＳＡＲが最大値を示す箇所（以下、これをホットスポットと呼ぶ）として、スピーカ７と接触する耳の近傍付近であることが確認されている。
【００１０】
このことは、通話時に携帯無線機１のスピーカ７が人体の耳に接触された状態で使用されることや、そのときスピーカ７の裏側に存在する回路基板のグランド導体またはシールドケース２がアンテナの一部として動作して電磁波を放射することが理由であると考えられている。
【００１１】
そこで携帯無線機１（図４）では、スピーカ７（図示せず）と対向する箇所でシールドケース２の上面２Ａから僅かに浮いた位置に、上面２Ａとほぼ平行になるように導電性平板５を配設する。
【００１２】
因みに、導電性平板５とシールドケース２の上面２Ａとの間隔は、無線通信周波数に依存しており、携帯無線機１は当該間隔に応じて周波数帯域幅を調整し得るようになされている。
【００１３】
このとき導電性平板５は、一端が短絡導体６によってシールドケース２と短絡されると共に他端が矢印ａ方向に示す上側に向けてシールドケース２と電気的に開放され、短絡端から開放端までの距離Ｌ１が無線周波数の波長λ／４になるように選定されている。
【００１４】
これにより携帯無線機１は、導電性平板５とシールドケース２との間のインピーダンスが短絡端でほぼ「０」になるが、開放端でインピーダンスが無限大に近づくことになり、この結果、アンテナ給電部３付近から導電性平板５やシールドケース２に高周波電流が流れ難くなる。
【００１５】
因みに導電性平板５は、短絡端から開放端までの距離Ｌ１が無線通信周波数の波長λ／４に選定されたときに、短絡端での入力インピーダンスが０で開放端での入力インピーダンスが最大になり、短絡端から開放端までの距離Ｌ１が無線通信周波数の波長λ／２に選定されたときには、開放端での入力インピーダンスが０になることが実験的に証明されている。
【００１６】
かくして携帯無線機１は、導電性平板５やシールドケース２に高周波電流が流れ難くなることにより、導電性平板５やシールドケース２から放射される電磁波の放射量が低減し、その結果として耳の近傍付近における局所平均ＳＡＲを低減することができる。
【００１７】
【発明が解決しようとする課題】
ところでかかる構成の携帯無線機１においては、導電性平板５における短絡端から開放端までの距離Ｌ１が使用する無線通信周波数によって決まっており、例えば無線通信周波数が９００[MHz] のときに、導電性平板５の短絡端から開放端までの距離Ｌ１が波長λ／４で開放端でのインピーダンスが最大になっても、無線通信周波数が１．８[GHz] のときでは導電性平板５の短絡端から開放端までの距離Ｌ１が波長λ／２に相当することになる。
【００１８】
そのため携帯無線機１においては、無線通信周波数が９００[MHz] のときには導電性平板５の開放端でのインピーダンスが最大になるので、電磁波の放射量が低減して耳の近傍付近における局所平均ＳＡＲを低減することができるが、無線通信周波数が１．８[GHz] のときには導電性平板５の開放端でのインピーダンスが低くなるので、導電性平板５やシールドケース２から放射される電磁波の放射量がその分だけ増大して局所平均ＳＡＲを低減し得ない。
【００１９】
従って携帯無線機１においては、導電性平板５によって無線通信周波数の異なる２種類の無線通信システムにそれぞれ対応させて局所平均ＳＡＲを低減することは困難であった。
【００２０】
本発明は以上の点を考慮してなされたもので、無線通信周波数の異なる少なくとも２種類以上の無線通信システムにそれぞれ対応させて、いずれの無線通信周波数を使用した場合でも人体に吸収される電磁波の量を低減し得る小型で簡易な構成のアンテナ装置及び携帯無線機を提案しようとするものである。
【００２１】
【課題を解決するための手段】
かかる課題を解決するため本発明においては、給電点からアンテナ素子に給電すると共に給電点から接地導体としてのシールドケースへ高周波電流が流れることによってアンテナ素子及びシールドケースがアンテナとして動作するアンテナ装置において、所定形状でなる第１の導電性平板の一端を接地導体と電気的に短絡すると共に、第１の導電性平板の一端よりも給電点に近い第１の導電性平板の他端を設置導体から電気的に開放することにより、第１の無線通信周波数に対して第１の導電性平板における開放端の入力インピーダンスを無限大に近づけるようにした第１平板部と、所定形状でなる第２の導電性平板の一端を、第１の導電性平板の一端よりも給電点に近い場所で接地導体と電気的に短絡すると共に、第２の導電性平板の一端よりも給電点に近く、第１の導電性平板の他端と同じ位置で第２の導電性平板の他端を設置導体から電気的に開放することにより、第２の無線通信周波数に対して第２の導電性平板における開放端の入力インピーダンスを無限大に近づけるようにした第２平板部とを具え、第１平板部及び第２平板部は、アンテナ装置の使用時にユーザの耳の近傍付近で、かつ人体側となるように配置されているようにする。
【００２２】
これにより、第１の無線通信周波数でアンテナ素子及びシールドケースがアンテナとして動作したときは、第１平板部の第１の導電性平板における開放端の入力インピーダンスが無限大に近づくことになるため給電点から高周波電流が流れ難くなり、第２の無線通信周波数でアンテナ素子及びシールドケースがアンテナとして動作したときは、第２平板部の第２の導電性平板における開放端の入力インピーダンスが無限大に近づくことになるため給電点から高周波電流が流れ難くなるため、人体側に配置された第１の導電性平板、第２の導電性平板及びシールドケースから放射される電磁波の放射量を低減し、ユーザの耳の近傍付近における局所平均ＳＡＲを確実に低減することができる。
【００２３】
【発明の実施の形態】
以下図面について、本発明の一実施の形態を詳述する。
【００２４】
（１）第１の実施の形態
図４との対応部分に同一符号を付して示す図１において、１０は全体として本発明の第１の実施の形態における携帯無線機を示し、非導電性材料で形成された筐体（図示せず）の内部に、無線通信を行うに必要な回路基板（図示せず）が収納されており、当該回路基板がグランド部材としてのシールドケース２によって被覆されている。
【００２５】
この携帯無線機１０は、内部に収納した回路基板をシールドケース２によって被覆したことにより、回路基板上に実装された送受信回路やその他の種々の回路が互いに悪影響を及ぼしあったり、アンテナ４や他の機器に対して悪影響を与えることを防止するようになされている。
【００２６】
また内部の回路基板は、基地局と通信するための送受信回路によって所定の信号形式の送信信号を生成し、これをアンテナ給電部３を介してアンテナ４から基地局へ送信し、またアンテナ４で受信した受信信号をアンテナ給電部３を介して取り込んだ後に復調するようになされている。
【００２７】
ここでアンテナ４は、導電性の線材でなる棒状のロッドアンテナで構成され、当該アンテナ４のみがアンテナとして動作するのではなく、回路基板のグランド導体またはシールドケース２にもアンテナ給電部３から高周波電流が流れ込み、その結果として携帯無線機１０全体がアンテナとして動作することになる。
【００２８】
この場合も携帯無線機１０は、局所平均ＳＡＲの最大値を示すホットスポットがスピーカ（図示せず）と接触する耳の近傍付近となることを想定して以下説明を行う。
【００２９】
携帯無線機１０は、導電性平板１１をシールドケース２の上面２Ａとほぼ平行で当該上面２Ａから高さｈ１の位置に設け、当該導電性平板１１を左側短絡導体１２及び右側短絡導体１３によってシールドケース２と短絡する。
【００３０】
ここで導電性平板１１は、短絡端から開放端までの距離Ｌ２及び左側短絡導体１２の幅Ｗ２による矩形状の左側平板部１１Ａと、短絡端から開放端までの距離Ｌ３及び右側短絡導体１３の幅Ｗ３による矩形状の右側平板部１１Ｂとがほぼ中央で合わさった一枚板として形成されている。
【００３１】
この導電性平板１１の左側平板部１１Ａは、短絡端から開放端までの距離Ｌ２が例えば第１の無線通信周波数である９００[MHz] の波長λ／４になるように選定されている。
【００３２】
また導電性平板１１の右側平板部１１Ｂは、短絡端から開放端までの距離Ｌ３が例えば第２の無線通信周波数である１．８[GHz] の波長λ／４になるように選定されている。
【００３３】
従って携帯無線機１０は、第１の無線周波数（９００[MHz] ）に対して導電性平板１１の左側平板部１１Ａが作用することにより、当該導電性平板１１の開放端での入力インピーダンスを無限大に近づけることができる。
【００３４】
同様に携帯無線機１０は、第２の無線周波数（１．８[GHz] ）に対して導電性平板１１の右側平板部１１Ｂが作用することにより、当該導電性平板１１の開放端での入力インピーダンスを無限大に近づけることができる。
【００３５】
ところで携帯無線機１０は、短絡端から開放端までの距離Ｌ２が無線通信周波数の波長λ／２に選定されたときには、開放端での入力インピーダンスが０になることが実験的に証明されているが、第１の無線周波数（９００[MHz] ）に対して導電性平板１１の右側平板部１１Ｂにおける短絡端から開放端までの距離Ｌ３が波長λ／２に相当することはないので、第１の無線周波数のときに右側平板部１１Ｂが作用して何らかの影響を及ぼすことは殆どないと考えられる。
【００３６】
しかしながら携帯無線機１０は、第２の無線周波数（１．８[GHz] ）に対して導電性平板１１の左側平板部１１Ａにおける短絡端から開放端までの距離Ｌ２が波長λ／２に相当することになるので、第２の無線周波数のときに左側平板部１１Ａの開放端での入力インピーダンスが低くなることが考えられるが、左側平板部１１Ａよりも右側平板部１１Ｂの方が開放端から短絡端までの距離Ｌ３が近いので、この場合には主に右側平板部１１Ｂが作用して左側平板部１１Ａはあまり作用しないと考えられる。
【００３７】
このように携帯無線機１０は、第１の無線周波数（９００[MHz] ）及び第２の無線周波数（１．８[GHz] ）に対しても導電性平板１１の開放端での入力インピーダンスを無限大に近づけることにより、当該導電性平板１１やシールドケース２にアンテナ給電部３からの高周波電流が流れ難くなって、導電性平板１１やシールドケース２から放射される電磁波の放射量が低減し、かくしてユーザの耳の近傍付近における局所平均ＳＡＲを低減し得るようになされている。
【００３８】
以上の構成において、携帯無線機１０は短絡端から開放端までの距離Ｌ２が第１の無線周波数（９００[MHz] ）の波長λ／４に選定された左側平板部１１Ａと、短絡端から開放端までの距離Ｌ３が第２の無線周波数（１．８[GHz] ）の波長λ／４に選定された右側平板部１１Ｂを有する導電性平板１１をシールドケース２の上面２Ａとほぼ平行で当該上面２Ａから高さｈ１の位置に設けるようにしたことにより、第１の無線周波数及び第２の無線周波数に対しても導電性平板１１の開放端での入力インピーダンスを無限大に近づけることができる。
【００３９】
この結果、携帯無線機１０は第１の無線周波数及び第２の無線周波数に対しても導電性平板１１やシールドケース２から放射される電磁波の放射量を低減することができ、かくして耳の近傍付近における局所平均ＳＡＲを低減することができる。
【００４０】
実際上、携帯無線機１０は、図３（Ａ）に示すように第２の無線通信周波数に近い測定周波数１．７８５[GHz] で局所平均ＳＡＲを測定した場合でも、導電性平板１１を設けなかったときと比較して、局所平均ＳＡＲが増加するようなことはない。
【００４１】
すなわち携帯無線機１０は、第２の無線周波数（１．８[GHz] ）に対して導電性平板１１の左側平板部１１Ａにおける短絡端から開放端までの距離Ｌ２が波長λ／２に相当することになるが、当該左側平板部１１Ａが作用することは殆どなく、第２の無線通信周波数のときに少なくとも導電性平板１１を設けなかった場合と同等の局所平均ＳＡＲを維持することができる。
【００４２】
因みに携帯無線機１０は、第１の無線通信周波数のときには左側平板部１１Ａが主に作用して開放端の入力インピーダンスを無限大に近づけることにより、導電性平板１１やシールドケース２から放射される電磁波の放射量を低減して、耳の近傍付近における局所平均ＳＡＲを確実に低減することができる。
【００４３】
また携帯無線機１０は、左側平板部１１Ａ及び右側平板部１１Ｂでなる一枚板状に形成した導電性平板１１を用いるようにしたことにより、複雑化及び大型化することなく小型でかつ簡易な構成で形成することができる。
【００４４】
以上の構成によれば、携帯無線機１０は短絡端から開放端までの距離Ｌ２が第１の無線周波数の波長λ／４に選定された左側平板部１１Ａと、短絡端から開放端までの距離Ｌ３が第２の無線周波数の波長λ／４に選定された右側平板部１１Ｂを有する導電性平板１１を、スピーカの近傍に設けるようにしたことにより、使用時におけるユーザの耳の近傍付近における局所平均ＳＡＲを低減し、人体に吸収される電磁波の量を確実に低減することができる。
【００４５】
（２）第２の実施の形態
図１との対応部分に同一符号を付して示す図２において、２０は全体として本発明の第２の実施の形態における携帯無線機を示し、この場合も局所平均ＳＡＲの最大値を示すホットスポットがスピーカ（図示せず）と接触する耳の近傍付近となることを想定して以下説明を行う。
【００４６】
携帯無線機２０は、導電性平板２３をシールドケース２の上面２Ａとほぼ平行で当該上面２Ａから高さｈ１の位置に設け、当該導電性平板２３を短絡導体２１によってシールドケース２と短絡する。
【００４７】
ここで導電性平板２３は、短絡端から開放端までの距離Ｌ４及び当該開放端の幅Ｗ４による矩形状の左側平板部２３Ａと、短絡端から開放端までの距離Ｌ５及び当該開放端の幅Ｗ５による矩形状の右側平板部２３Ｂとがほぼ中央で合わさった一枚板として形成されている。
【００４８】
但し、この場合の導電性平板２３は、左側平板部２３Ａと右側平板部２３Ｂとの間に開放端側から所定長さのスリット２２が設けられており、左側平板部２３Ａと右側平板部２３Ｂとが独立して動作し易いように分けられている。
【００４９】
この導電性平板２３の左側平板部２３Ａは、短絡端から開放端までの距離Ｌ４が例えば第１の無線通信周波数である９００[MHz] の波長λ／４になるように選定されている。
【００５０】
また導電性平板２３の右側平板部２３Ｂは、短絡端から開放端までの距離Ｌ５が例えば第２の無線通信周波数である１．８[GHz] の波長λ／４になるように選定されている。
【００５１】
従って携帯無線機２０は、第１の無線周波数（９００[MHz] ）に対して導電性平板２３の左側平板部２３Ａが作用することにより、当該導電性平板２３の開放端での入力インピーダンスを無限大に近づけることができる。
【００５２】
同様に携帯無線機２０は、第２の無線周波数（１．８[GHz] ）に対して導電性平板２３の右側平板部２３Ｂが作用することにより、当該導電性平板２３の開放端での入力インピーダンスを無限大に近づけることができる。
【００５３】
従って携帯無線機２０は、第１の無線周波数（９００[MHz] ）及び第２の無線周波数（１．８[GHz] ）に対しても、導電性平板２３の左側平板部２３Ａ及び右側平板部２３Ｂにおける開放端での入力インピーダンスを無限大に近づけることにより、当該導電性平板２３やシールドケース２にアンテナ給電部３からの高周波電流が流れ難くなって、導電性平板２３やシールドケース２から放射される電磁波の放射量が低減し、かくしてユーザの耳の近傍付近における局所平均ＳＡＲを低減し得るようになされている。
【００５４】
以上の構成において、携帯無線機２０は短絡端から開放端までの距離Ｌ４が第１の無線周波数（９００[MHz] ）の波長λ／４に選定された左側平板部２３Ａと、短絡端から開放端までの距離Ｌ５が第２の無線周波数（１．８[GHz] ）の波長λ／４に選定された右側平板部２３Ｂを有する導電性平板２３をシールドケース２の上面２Ａとほぼ平行で当該上面２Ａから高さｈ１の位置に設けるようにしたことにより、第１の無線周波数及び第２の無線周波数に対して導電性平板２３の左側平板部２３Ａ及び右側平板部２３Ｂにおける開放端での入力インピーダンスをそれぞれ無限大に近づけることができる。
【００５５】
この結果、携帯無線機２０は第１の無線周波数及び第２の無線周波数に対しても導電性平板２３やシールドケース２から放射される電磁波の放射量を低減することができ、かくして耳の近傍付近における局所平均ＳＡＲを低減することができる。
【００５６】
実際上、携帯無線機２０は図３（Ｂ）に示すように第２の無線通信周波数に近い測定周波数１．７８５[GHz] で局所平均ＳＡＲを測定した場合でも、導電性平板２３を設けなかったときと比較して、局所平均ＳＡＲが低減されていることがわかる。
【００５７】
従って携帯無線機２０は、第２の無線通信周波数のときに第１の無線通信周波数に対応した左側平板部２３Ａが作用してしまうことがないと考えられるので、第１の無線通信周波数のときに耳の近傍付近における局所平均ＳＡＲを確実に低減し得ると共に、第２の無線通信周波数のときにも局所平均ＳＡＲを確実に低減することができる。
【００５８】
また携帯無線機２０は、左側平板部２３Ａ及び右側平板部２３Ｂでなる一枚板状に形成した導電性平板２３を用いるようにしたことにより、複雑化及び大型化することなく小型でかつ簡易な構成で形成することができる。
【００５９】
以上の構成によれば、携帯無線機２０は短絡端から開放端までの距離Ｌ４が第１の無線周波数の波長λ／４に選定された左側平板部２３Ａと、短絡端から開放端までの距離Ｌ４が第２の無線周波数の波長λ／４に選定された右側平板部２３Ｂを有する導電性平板２３を、スピーカの近傍に設けるようにしたことにより、第１の無線周波数及び第２の無線周波数に対しても、使用時におけるユーザの耳の近傍付近における局所平均ＳＡＲを低減し、人体に吸収される電磁波の量を確実に低減することができる。
【００６０】
（３）他の実施の形態
なお上述の第１及び第２の実施の形態においては、高周波電流抑制手段としての導電性平板１１及び２３が一枚板として形成されている場合について述べたが、本発明はこれに限らず、シールド板としての左側平板部１１Ａ及び２３Ａと、シールド板としての右側平板部１１Ｂ及び２３Ｂに完全に分かれた２枚板として形成されるようにしても良い。
【００６１】
また上述の第１の実施の形態においては、左側平板部１１Ａと右側平板部１１Ｂとの間にスリットの設けられていない導電性平板１１を用いるようにした場合について述べたが、本発明はこれに限らず、導電性平板１１の開放端側から所定長さのスリットを設けるようにしても良い。
【００６２】
この場合図３（Ｃ）に示すように、第２の無線通信周波数に近い測定周波数１．７８５[GHz] で局所平均ＳＡＲを測定した場合、スリットを設けなかった導電性平板１１ときと比較して局所平均ＳＡＲが大幅に低減（約１５％程度）されることが実験的に証明されている。
【００６３】
さらに上述の第２の実施の形態においては、左側平板部２３Ａと右側平板部２３Ｂとの間にスリット２２の設けられた導電性平板２３を用いるようにした場合について述べたが、本発明はこれに限らず、左側平板部２３Ａと右側平板部２３Ｂとの間にスリットの設けられていない導電性平板を用いるようにしても良い。
【００６４】
この場合図３（Ｄ）に示すように、第２の無線通信周波数に近い測定周波数１．７８５[GHz] で局所平均ＳＡＲを測定した場合、スリットの設けられた導電性平板２３と比較しても同等の局所平均ＳＡＲが得られることが実験的に証明されている。
【００６５】
さらに上述の第１及び第２の実施の形態においては、スピーカの近傍に導電性平板１１及び２３を設けるようにした場合について述べたが、本発明はこれに限らず、人体に近づくホットスポットの近傍であれば他の種々の位置に導電性平板１１及び２３を設けるようにしても良い。
【００６６】
さらに上述の第１及び第２の実施の形態においては、シールドケース２の上面２Ａに対して左側に第１の無線通信周波数に対応した左側平板部１１Ａ及び２３Ａを設け、右側に第２の無線通信周波数に対応した右側平板部１１Ｂ及び２３Ｂを設けるようにした場合について述べたが、本発明はこれに限らず、左側平板部１１Ａ及び２３Ａと右側平板部１１Ｂ及び２３Ｂとを左右入れ換えても良い。
【００６７】
さらに上述の第１及び第２の実施の形態においては、シールドケース２の上面２Ａと導電性平板１１及び２３との間に何も設けられていない場合について述べたが、本発明はこれに限らず、シールドケース２の上面２Ａと導電性平板１１及び２３との間に所定の誘電率を持つ誘電体を設けるようにしても良い。この場合、誘電体の比誘電率に応じた波長短縮効果によって導電性平板１１及び２３の短絡端から開放端までの距離を短かくすることができる。
【００６８】
ここで誘電体が用いられたときには、左側平板部１１Ａ及び２３Ａの短絡端から開放端までの距離Ｌ２及びＬ４は、次式
【００６９】
【数１】
0004217938.tif 000002
【００７０】
【数２】
0004217938.tif 000003
【００７１】
で表される。
【００７２】
さらに上述の第１及び第２の実施の形態においては、導電性平板１１及び２３の開放端側をシールドケース２の上端側に位置するようにした場合について述べたが、本発明はこれに限らず、高周波電流の流れるアンテナ給電部３の近傍であれば、導電性平板１１及び２３の開放端側をシールドケース２の上端側以外の場所に位置するようにしても良い。
【００７３】
さらに上述の第１及び第２の実施の形態においては、第１の無線通信周波数及び第２の無線通信周波数にそれぞれ対応した左側平板部１１Ａ及び右側平板部１１Ｂでなる導電性平板１１や、左側平板部２３Ａ及び右側平板部２３Ｂでなる導電性平板２３を設けるようにした場合について述べたが、本発明はこれに限らず、３種類の無線通信周波数にそれぞれ対応して左側平板部、中央平板部及び右側平板部でなる導電性平板を設けるようにしたり、１種類の無線通信周波数に対応した導電性平板を設けるようにしても良い。
【００７４】
【発明の効果】
上述のように本発明によれば、第１の無線通信周波数でアンテナ素子及びシールドケースがアンテナとして動作したときは、第１平板部の第１の導電性平板における開放端の入力インピーダンスが無限大に近づくことになるため給電点から高周波電流が流れ難くなり、第２の無線通信周波数でアンテナ素子及びシールドケースがアンテナとして動作したときは、第２平板部の第２の導電性平板における開放端の入力インピーダンスが無限大に近づくことになるため給電点から高周波電流が流れ難くなるため、人体側に配置された第１の導電性平板、第２の導電性平板及びシールドケースから放射される電磁波の放射量を低減し、ユーザの耳の近傍付近における局所平均ＳＡＲを確実に低減し得るアンテナ装置及び携帯無線機を実現することができる。
【図面の簡単な説明】
【図１】第１の実施の形態における携帯無線機の構成を示す略線的斜視図である。
【図２】第２の実施の形態における携帯無線機の構成を示す略線的斜視図である。
【図３】導電性平板を用いた場合の局所平均ＳＡＲの測定結果を示す略線図である。
【図４】従来の携帯無線機の構成を示す略線的斜視図である。
【図５】局所平均ＳＡＲのホットスポットを示す略線図である。
【符号の説明】
１、１０、２０……携帯無線機、２……シールドケース、３……アンテナ給電部、４……アンテナ、５、１１、２３……導電性平板、１２……左側短絡導体、１３……右側短絡導体、６、２１……短絡導体、２２……スリット。
【図１】
0004217938.tif 000004
【図２】
0004217938.tif 000005
【図３】
0004217938.tif 000006
【図４】
0004217938.tif 000007
【図５】
0004217938.tif 000008